(57)【要約】【課題】遠隔地に設けられた端末装置の表示部に、現地に設けられたデータ処理装置の表示部と同様の表示態様による表示を行い、遠隔地における操作性を高めることを目的とする【解決手段】現地に設置された地震動を検出する振動検出器１及び該地震動よりメンテナンス情報を作成するデータ処理装置２と、通信回線Ｎ２を介して接続されたものであって、遠隔地に設置され、現地の各種装置に対する遠隔制御処理が可能な端末装置３からなる地震動計測システム１００において、データ処理装置２が備える第１の表示部２５の表示態様と、端末装置３が備える第２の表示部３２の表示態様とを同じ態様とし、データ処理装置２においては第１の表示部２５をパネルタッチ式とし、端末装置３においてはポインティングデバイスによる入力とした。【選択図】図１
2005308449.tif 000002
【特許請求の範囲】
【請求項１】
地震動を検出し、検出した地震動を検出信号として出力する振動検出器と、
前記振動検出器の動作制御を行うとともに、前記振動検出器によって出力された検出信号に基づいてデータ処理を行うデータ処理装置と、
前記データ処理装置に、通信回線を介して接続された端末装置と、
を備え、前記端末装置による遠隔操作によって前記振動検出器や前記データ処理装置のメンテナンスが可能な地震動計測システムにおいて、
前記データ処理装置は、
前記振動検出器及び当該データ処理装置のメンテナンス情報を作成するメンテナンス情報作成手段と、
前記メンテナンス情報作成手段により作成されたメンテナンス情報を所定のメンテナンス用表示態様で表示するとともに、前記メンテナンス情報に対するメンテナンス指示情報を入力可能なタッチパネル式の第１の表示部と、
前記メンテナンス指示情報に基づいて前記振動検出器や、前記データ処理装置のメンテナンスを実行するメンテナンス制御手段と、
前記メンテナンス情報を前記端末装置に送信する第１の通信部と、を備え、
前記端末装置は、
前記データ処理装置より送信された前記メンテナンス情報を受信し、当該メンテナンス情報に対する前記メンテナンス指示情報を前記データ処理装置に送信する第２の通信部と、
前記第２の通信部により受信された前記メンテナンス情報を表示する第２の表示部と、
前記第２の通信部により受信された前記メンテナンス情報を、前記所定のメンテナンス用表示態様で前記第２の表示部に表示させる表示制御手段と、
前記第２の表示部に表示された前記メンテナンス情報に対する前記メンテナンス指示情報の指示入力をポインティングデバイスにより行う入力部と、
を備えることを特徴とする地震動計測システム。
【請求項２】
請求項１に記載の地震動計測システムにおいて、
前記表示制御手段は、
前記第２の通信部より受信されたメンテナンス情報を、前記所定のメンテナンス用表示態様と異なる所定の管理用表示態様と、前記メンテナンス用表示態様の何れか一方で表示させる制御を行うことを特徴とする地震動計測システム。
【請求項３】
請求項２に記載の地震動計測システムにおいて、
前記メンテナンス情報作成手段により作成されたメンテナンス情報に基づいて、所定の異常が発生したか否かを判断する判断手段を備え、
前記表示制御手段は、
前記判断手段により、所定の異常が発生したと判断された場合に、前記メンテナンス用表示態様を前記第２の表示部に表示させる制御を行うことを特徴とする地震動計測システム。
【発明の詳細な説明】
【技術分野】
【０００１】
本発明は、地震動計測システムに関する。
【背景技術】
【０００２】
従来、地震動計測システムとしては、例えば、計測地点に振動検出器を設置し、この振動検出器にて取得された地震動データに基づいてデータ処理装置により震度等を計算し、当該データ処理装置が備える表示部に表示すると同時に、遠隔地に設けられた端末装置にも表示を行う地震動計測システムが知られている（例えば、特許文献１参照）。
この地震動計測システムの場合、現地に設けられるデータ処理装置は、振動検出器や当該データ処理装置のメンテナンス制御を行いやすいように、データ処理装置の備える表示部に表示される表示態様はメンテナンス用の表示態様となっていた。一方、遠隔地に設けられる端末装置は、地震動の監視・管理を主目的としているため、端末装置の備える表示部に表示される表示態様は管理用の表示態様となっていた。さらに、管理用表示においては、その目的を異とすることにより、メンテナンス用表示態様で表示される情報の一部しか表示されないため、充分なメンテナンス情報が表示されているとは言い難かった。
また、データ処理装置及び端末装置のそれぞれが入力部を備えており、各振動検出器や当該データ処理装置の制御を、該入力部を介して行うことが可能であるが、このとき、データ処理装置が備えるタッチパネル方式である表示部においては、メンテナンス情報を確認し、制御したい箇所に指や専用のペン等で直接触れることによって指示を入力することが可能である一方、端末装置が備える表示部においては、ＣＲＴディスプレイや、液晶ディスプレイなどのディスプレイ上に管理用画面が表示されており、各種指示の入力は、例えば、コマンド入力によって行われるものであった。
【特許文献１】特開２００４−８５３１２号公報
【発明の開示】
【発明が解決しようとする課題】
【０００３】
特許文献１に挙げた地震動計測システムにおいては、データ処理装置が備える表示部における表示態様と、端末装置が備える表示部の表示態様とが異なり、さらに、各入力部に対する指示入力方法が異なるため、管理用表示を用いてメンテナンス制御を実行する場合に、現地での操作と同様の操作によっては入力が行えず、操作が煩雑であるという問題があった。
即ち、遠隔地において、表示装置を用いてメンテナンスを実行する場合、特に管理用表示を用いての操作に不慣れなオペレーターにとっては、慣れない作業を実施することとなるため、操作効率が低下し、誤操作を招いてしまうという問題があった。
【０００４】
本発明の課題は、遠隔地に設けられた端末装置の表示部に、現地に設けられたデータ処理装置の表示部と同様の表示態様による表示を行い、遠隔地における操作性を高めることである。
【課題を解決するための手段】
【０００５】
以上の課題を解決すべく、請求項１に記載の発明は、地震動を検出し、検出した地震動を検出信号として出力する振動検出器と、前記振動検出器の動作制御を行うとともに、前記振動検出器によって出力された検出信号に基づいてデータ処理を行うデータ処理装置と、前記データ処理装置に、通信回線を介して接続された端末装置と、を備え、前記端末装置による遠隔操作によって前記振動検出器や前記データ処理装置のメンテナンスが可能な地震動計測システムにおいて、前記データ処理装置は、前記振動検出器及び当該データ処理装置のメンテナンス情報を作成するメンテナンス情報作成手段と、前記メンテナンス情報作成手段により作成されたメンテナンス情報を所定のメンテナンス用表示態様で表示するとともに、前記メンテナンス情報に対するメンテナンス指示情報を入力可能なタッチパネル式の第１の表示部と、前記メンテナンス指示情報に基づいて前記振動検出器や、前記データ処理装置のメンテナンスを実行するメンテナンス制御手段と、前記メンテナンス情報を前記端末装置に送信する第１の通信部と、を備え、前記端末装置は、前記データ処理装置より送信された前記メンテナンス情報を受信し、当該メンテナンス情報に対する前記メンテナンス指示情報を前記データ処理装置に送信する第２の通信部と、前記第２の通信部により受信された前記メンテナンス情報を表示する第２の表示部と、前記第２の通信部により受信された前記メンテナンス情報を、前記所定のメンテナンス用表示態様で前記第２の表示部に表示させる表示制御手段と、前記第２の表示部に表示された前記メンテナンス情報に対する前記メンテナンス指示情報の指示入力をポインティングデバイスにより行う入力部と、を備えることを特徴とする。
【０００６】
請求項２に記載の発明は、請求項１に記載の地震動計測システムにおいて、前記表示制御手段は、前記第２の通信部より受信されたメンテナンス情報を、前記所定のメンテナンス用表示態様と異なる所定の管理用表示態様と、前記メンテナンス用表示態様の何れか一方で表示させる制御を行うことを特徴とする。
【０００７】
請求項３に記載の発明は、請求項２に記載の地震動計測システムにおいて、前記メンテナンス情報作成手段により作成されたメンテナンス情報に基づいて、所定の異常が発生したか否かを判断する判断手段を備え、前記表示制御手段は、前記判断手段により、所定の異常が発生したと判断された場合に、前記メンテナンス用表示態様を前記第２の表示部に表示させる制御を行うことを特徴とする。
【発明の効果】
【０００８】
請求項１に記載の発明によれば、端末装置における第２の表示部に表示されるメンテナンス情報の表示態様が、データ処理装置における第1の表示部に表示される表示態様と同一の態様である、所定のメンテナンス用表示態様となる。
これにより、端末装置の第２の表示部を確認しながら実行する遠隔地での操作を、現地に設けられたデータ処理装置の備える第１の表示部における表示態様であるメンテナンス用表示態様による表示を確認することにより実施することができることとなって、現地と同様の感覚で制御を行うことができる。その上、メンテナンス情報に対する指示入力方法も、データ処理装置と、端末装置とで、タッチパネルを介する入力と、ポインティングデバイスによる入力という、類似した方法を用いることができることとなる。従って、誤操作が減り、制御操作の操作効率を高めることができる。
【０００９】
請求項２に記載の発明によれば、第２の表示部には、メンテナンス情報が第１の表示部に表示される態様であるメンテナンス用表示態様と、第２の表示部に表示される態様である管理用表示態様の、いずれか一方の態様で表示されることとなる。
これにより、請求項１に記載の発明の効果が得られるのは無論のこと、特に、遠隔地において、端末装置が備える第２の表示部を用いて管理を行う場合には、管理用表示態様で表示し、振動検出器やデータ処理装置のメンテナンスを行う場合には、メンテナンス用表示態様で表示して操作を実行することができ、メンテナンス情報を必要に応じて適切な表示態様で表示させることができる。従って、管理及びメンテナンスを実行する場合に、各操作に適した画像を用いて操作を実行することができる。
【００１０】
請求項３に記載の発明によれば、判断手段により所定の異常が発生したと判断された場合に、表示制御手段により、メンテナンス用表示態様が第２の表示部に表示される。
これにより、請求項２に記載の発明の効果が得られるのは無論のこと、特に、所定の異常が発生した場合には、状況を確実に把握できることとなって、これに対し素早く対応することができることとなる。
【発明を実施するための最良の形態】
【００１１】
以下に、本発明について、図面を用いて具体的な態様を説明する。ただし、発明の範囲は図示例に限定されない。
図１は、地震動計測システムの内部構造を示すブロック図である。
図１に示す、地震動計測システム１００は、複数地点に配置された振動検出器１と、この振動検出器に通信回線Ｎ１を介して接続されたデータ処理装置２と、このデータ処理装置２に、通信回線Ｎ２を介して接続された端末装置３と、を備えてなる。
【００１２】
振動検出器１は、地震動を検出し、検出した地震動を検出信号として出力する機器である。振動検出器１は、例えば、加速度検出器であり、東西（X）方向、南北（Ｙ）方向、上下（Ｚ）方向の、各３方向の振動の大きさを示す電気振動信号（アナログ信号）を検出し、検出した電気信号をデータ処理装置２に出力する。
【００１３】
データ処理装置２は、振動検出器１の動作制御を行うとともに、振動検出器１によって出力された検出信号を地震動データに変換してデータ処理を行う装置である。
データ処理装置２は、例えば、アンプフィルタモジュール２１、…、と、Ａ／Ｄ変換器２２、…、記憶部２３、第１の通信部２４、第１の表示部２５、ＣＰＵ（Central  Processing  Unit）２６、ＲＡＭ（Random  Access  Memory）２７と、ＲＯＭ（Read  Only  Memory）２８、等を備えている。
【００１４】
アンプフィルタモジュール２１、…、は、振動検出器１、…、から常時送信されるアナログ信号である電気信号を増幅し、Ａ／Ｄ変換器２２へ出力するアンプである。ここで、アンプフィルタモジュール２１、…、は、所定の周波数帯域の信号、例えば、地震波を濾波して、Ａ／Ｄ変換器２２、…、へ出力する。この地震波の検出は、地震波の特徴である、周波数が低く、かつ振幅の大きい振動波のみを濾波することによって実現する。また、振動検出器１からは、Ｘ方向、Ｙ方向、Ｚ方向の振動に係るアナログ信号が送信されるが、アンプフィルタモジュール２１、…、は、それぞれの信号を増幅して出力する。
【００１５】
Ａ／Ｄ変換器２２、…、は、アンプフィルタモジュール２１、…、によって増幅された電気信号（アナログ信号）を、デジタル信号である地震動計測データ（地震動データ）に変換し、ＣＰＵ２６に出力する。
【００１６】
記憶部２３は、処理データを記録するための記憶媒体（図示省略）を有しており、この記憶媒体は磁気的、光学的な記憶媒体、若しくは半導体メモリで構成されている。また、この記憶媒体は記憶部２３に固定的に設けられたもの、若しくは着脱自在に装着されるものであり、ハードディスクドライブやメモリカード等の何れの媒体であってもよい。
【００１７】
第１の通信部２４は、端末装置３へのメンテナンス情報の送信や、メンテナンス情報に対するメンテナンス指示情報の受信等、端末装置３との間で信号やデータを入出力するためのインターフェイスであり、例えば、ＵＳＢ（Universal Serial Bus）ポートやＲＳ−４８５Ｃ端子をはじめとするシリアル入出力端子、パラレル入出力端子、ＳＣＳＩインターフェイス等が備えられ、有線または無線通信手段により端末装置３と接続することが可能である。
通信回線Ｎ１、Ｎ２は、有線であっても無線であってもよく、例えば、電話回線、通信ケーブル等により構成されている。
【００１８】
第１の表示部２５は、後述するメンテナンス情報作成手段により作成されたメンテナンス情報を表示し、例えば、ＬＣＤ（Liquid Crystal Display）やＣＲＴ（Cathode Ray Tube）などにより構成される。
第１の表示部２５において表示される画像は、所定のメンテナンス用表示態様で表示される。該メンテナンス用表示態様で示される画像であるメンテナンス情報画像には、例えば、震度、計測震度、時間、起動時刻、各成分（Ｘ成分、Ｙ成分、Ｚ成分）最大値等の地震情報が表示される他、振動検出器やデータ処理装置の運転状況と共に、異常がある場合は警告と共にメンテナンスを要する箇所などを示すメンテナンスモード（図２（ａ）参照）も備えてなる。メンテナンス用表示態様で示されるメンテナンス情報画像は、例えば、複数の画像からなり、各画像は、一定時間毎に切り替わり、また、オペレーターの指示によっても切り替え可能となっている。
【００１９】
また、第１の表示部２５を構成するモニターは、タッチパネルの機能を備え、キーボードやマウスを使わずに、指や専用のペンなどで直接触れる（タッチする）ことにより、メンテナンス情報に対する、メンテナンス指示情報の入力を行うことができる。
タッチパネルが入力を受け付ける方法としては、例えば、赤外線方式、超音波方式、静電容量方式、抵抗膜方式等を用いることができるが、その他の方法を適宜採用することもできる。
【００２０】
ＣＰＵ２６は、ＲＯＭ２８に格納されているＩＰＬ（Initial Program Loader）プログラムやデータ処理プログラム等の各種プログラムの中から指定されたプログラムをＲＡＭ２７の作業領域に展開して、このプログラムに従った各種処理を実行する。
ＲＡＭ２７は、ＣＰＵ２６により実行される各種処理において、プログラムやデータ等を一時的に記憶する記憶領域、プログラムを実行する作業領域等を形成する。
ＲＯＭ２８は、本発明の動作の実行に必要な各種アプリケーションソフト、プログラム等を格納しており、具体的には、例えば、図１に示すように、メンテナンス情報作成プログラム２８１や、判断プログラム２８２、メンテナンス制御プログラム２８３、等を格納する。
【００２１】
メンテナンス情報作成プログラム２８１は、地震動データやその他振動検出器１及びデータ処理装置２の各部から出力される各種信号に基づいて、振動検出器及びデータ処理装置のメンテナンス情報を作成するためのプログラムであり、ＣＰＵ２６は、かかるメンテナンス情報作成プログラム２８１を実行することにより、メンテナンス情報作成手段として機能する。取得されたメンテナンス情報は、ＲＡＭ２７に記憶される。
【００２２】
判断プログラム２８２は、メンテナンス情報作成手段によって作成されたメンテナンス情報に基づいて、所定の異常が発生したか否かを判断するためのプログラムである。ここで、所定の異常とは、具体的には、例えば、振動検出器１及びデータ処理装置２の各部から信号が出力されない場合、またはデータの値が予め設定されている許容範囲から外れている場合等のいう。異常か否かの判断は、例えば、ＲＯＭ２８に格納された判断基準テーブル（図示省略）を用いてもよいし、予め判断プログラムの中に組み込まれた数値等を用いても良い。ＣＰＵ２６は、かかる判断プログラム２８２を実行することによって、判断手段として機能する。ＣＰＵ２６により取得された、異常が発生／否の判断結果は、ＲＡＭ２７に記憶される。
【００２３】
メンテナンス制御プログラム２８３は、メンテナンス指示情報に基づいて、振動検出器や、外部装置のメンテナンスを実行するためのプログラムであり、ＣＰＵ２６は、かかるメンテナンス制御プログラム２８３を実行することによって、メンテナンス制御手段として機能する。取得された指示は、第１の通信部２４等を介して、振動検出器１や装置に送信される。ここで、メンテナンス指示情報は、第１の表示部２５のタッチパネルを用いて指示された情報、或いは端末装置３から送信された情報の何れであってもよい。また、メンテナンス制御とは、具体的には、例えば、故障時における予備への配線の切り換え、起動中の振動検出器チャンネルの切替、警報出力の停止、機能全停止、などである。
【００２４】
端末装置３は、第２の通信部３１と、第２の表示部３２、入力部３３、ＣＰＵ３４、ＲＡＭ３５、ＲＯＭ３６、等を備えている。
【００２５】
第２の通信部３１は、データ処理装置２より送信されたメンテナンス情報を受信し、該受信されたメンテナンス情報に対して、入力部３３を介して入力されたメンテナンス指示情報をデータ処理装置２に送信する。第２の通信部３１は、例えば、データ処理装置２が備える第１の通信部２４で挙げた構成と同様の構成からなる。
【００２６】
第２の表示部３２は、例えば、第２の通信部３１により受信され、後述する表示制御手段によって、所定のメンテナンス用表示態様、若しくは所定の管理用表示態様によって表されたメンテナンス情報を表示する。第２の表示部３２は、例えば、ＬＣＤ（Liquid Crystal Display）やＣＲＴ（Cathode Ray Tube）などにより構成される。
【００２７】
入力部３３には、第２の表示部３２に表示されたメンテナンス情報に対するメンテナンス指示情報の入力が可能なポインティングデバイスが備えられている。ポインティングデバイスとしては、例えばマウスを用いることができ、他にもペンやトラックパッド、トラックボールなどを好適に利用することができる。
【００２８】
第２の表示部３２に表示されたメンテナンス情報に基づいて、入力部３３にメンテナンス指示情報を入力することができる。入力された該メンテナンス指示情報が第２の通信部を介して、通信回線Ｎ２よりデータ処理装置２に入力されることとなる。これにより、端末装置３からの遠隔操作による振動検出器１やデータ処理装置２のメンテナンスが可能となる
【００２９】
ＣＰＵ３４、ＲＡＭ３５は、データ処理装置２が備えるＣＰＵ２６、ＲＡＭ２７と同様の構成である。ＲＯＭ３６には、表示制御プログラム３６１が格納されてなる。
【００３０】
表示制御プログラム３６１は、データ処理装置２より送信されたメンテナンス情報及び異常発生の有無情報に基づいて、所定のメンテナンス用表示態様と、該メンテナンス用表示態様と異なる所定の管理用表示態様の何れかを第２の表示部３２に表示させるためのプログラムである。ＣＰＵ３６は、かかる表示制御プログラム３６１を実行することによって、表示制御手段として機能する。
ここで、所定の管理用表示態様とは、前述したメンテナンス用表示態様とは異なる態様であって、主に管理、監視を目的としているため、図２（ａ）に示すメンテナンス用表示態様で表示される画像と異なる。具体的には、例えば、図２（ｂ）に示した、管理用表示態様が挙げられる。
前述したように、メンテナンス用表示態様とは、振動検出器１や、データ処理装置２に異常が発生した場合に、警告ともにメンテナンスを要する箇所を表示する機能を備える。この態様では、具体的にメンテナンス可能な項目が表示され、項目によってはその正常値が並列表示される。異常が発生した場合には、該異常発生箇所が赤点滅し、オペレーターの注意をひき、異常事態を認識させることができる。
具体的には、例えば、図２（ａ）に示したように、メンテナンス可能な項目として、内部温度異常、室内温度異常、気圧異常、・・・などが表示される。正常稼働している場合には、これらの項目は第1の表示部２５の画面に白文字で表示されているが、例えば、内部温度が上昇することによって異常発生が確認されると、警報機（図示省略）によるアラーム音と同時に、異常発生に係る表示項目、「内部温度異常」が赤文字で点滅表示される。画面上の該点滅表示される項目にオペレーターがタッチすると、内部温度を低下させるための機能として、例えば、冷却装置（図示省略）やファン（図示省略）等の起動指示等の、メンテナンス指示情報を入力することができる。
一方、管理用表示態様は、主に管理、監視を目的としているため、振動検出器１、データ処理装置２、端末装置３等が正常に稼働しているかを容易に認識可能な構成からなる。即ち、管理用表示態様の一例として、図２（ｂ）に示す例のように、システム全体が画面に表示される態様の画像が挙げられる。該態様においては、異常事態が発生すると、該発生箇所が反転表示され、オペレーターに異常を認識させる。管理用表示態様においても、ポインティングデバイスを用いて、メンテナンス指示情報の入力が可能である。
【００３１】
即ち、第２の表示部３２においては、メンテナンス用表示態様と管理用表示態様の何れか一方の態様によって、メンテナンス情報が表示される。より具体的には、端末装置３の備えるＣＰＵ３４が表示制御プログラム３６１を実行することにより、データ処理装置から、異常の発生「無」との情報が送信された場合には、管理用表示態様を第２の表示部３２に表示させ、データ処理装置２から、異常の発生「有」との情報が送信された場合には、メンテナンス用表示態様を第２の表示部３２に表示させるようになっている。
【００３２】
次に、上記に説明したように構成された地震動計測システム１００が備える端末装置３における第２の表示部３２の表示処理、及び入力部３３に入力されたメンテナンス指示情報に基づくメンテナンス指示情報入力処理について、図３に示すフローチャートを用いて説明する。
図３に示すように、まず、振動検出器から、地震動が検出信号としてデータ処理装置２に入力される（ステップＳ１）。データ処理装置２は、入力された該検出信号をデータ処理し、地震動データを取得する（ステップＳ２）。
【００３３】
ステップＳ３では、ＣＰＵ２６が、メンテナンス情報作成プログラム２８１を実行し、地震動データよりメンテナンス情報を取得する（ステップＳ３）。次いで、ＣＰＵ２６は、取得されたメンテナンス情報に基づいて、判断プログラム２８２を実行することにより、所定の異常が発生したか否かを判断する（ステップＳ４）。ＣＰＵ２６は、所定の異常が発生したと判断した場合には（ステップＳ４；Ｙｅｓ）、異常発生「有り」をＲＡＭ２７に記憶し（ステップＳ５）、異常が発生していないと判断した場合には（ステップＳ４；Ｎｏ）、異常発生「無し」をＲＡＭ２７に記憶する（ステップＳ６）。
【００３４】
一方、端末装置３が、通信回線Ｎ２を介してデータ処理装置２と通信を開始すると（ステップＳ７）、ＲＡＭ２７に記憶されたメンテナンス情報及び異常発生有無情報が端末装置３に送信される（ステップＳ８）。
【００３５】
ＣＰＵ３４は、送信されたメンテナンス情報及び異常発生有無情報に基づいて、異常発生の有無を判断し（ステップＳ９）、表示制御プログラム３６１を実行して、表示部３２にメンテナンス用表示態様若しくは管理用表示態様を表示する。即ち、異常発生「有り」の場合には（ステップＳ９；Ｙｅｓ）、ＣＰＵ３４は、所定のメンテナンス用表示態様を第２の表示部３２に表示させる（ステップＳ１０）。異常発生「無し」の場合には（ステップＳ９；Ｎｏ）、ＣＰＵ３４は、所定の管理用表示態様を第２の表示部３２に表示させる（ステップＳ１１）。
【００３６】
次いで、所定のメンテナンス用表示態様で第２の表示部３２に表示されるメンテナンス情報に基づいて、オペレーターが、入力部３３を介してメンテナンス指示情報を入力すると（ステップＳ１２）、該入力されたメンテナンス指示情報は、第２の通信部及び通信回線Ｎ２を介して、データ処理装置２に送信される（ステップＳ１３）。
このとき、第２の表示部３２に表示された所定のメンテナンス用表示態様に対しては、ポインティングデバイスによってメンテナンス指示情報が入力され、管理用表示態様に対しては、コマンド入力によってメンテナンス指示情報が入力される。
データ処理装置２が、メンテナンス指示情報を受信すると（ステップＳ１４）、該メンテナンス指示情報に基づいて、ＣＰＵ２６がメンテナンス制御プログラム２８３を実行することによって各指示に基づいた処理が実行され（ステップＳ１５）、メンテナンス指示情報入力処理が終了する。
【００３７】
以上に説明した、地震動計測システム１００によると、端末装置３における第２の表示部３２に表示される表示態様が、データ処理装置２における第１の表示部２５に表示される画像の表示態様と同一の態様である、所定のメンテナンス用表示態様となる。これにより、端末装置３の第２の表示部３２を確認しながら実行する遠隔地での操作を、現地に設けられたデータ処理装置２の備える第１の表示部２５における表示態様であるメンテナンス用表示態様によって表示された画像を確認することにより実施することができることとなって、現地と同様の感覚で制御を行うことができる。その上、メンテナンス情報に対する指示入力方法も、データ処理装置２（タッチパネルを介する入力）と、端末装置３（ポインティングデバイスによる入力）とで、類似した方法を用いることができることとなる。従って、誤操作が減り、制御操作の操作効率を高めることができる。
また、第２の表示部３２には、第１の表示部２５に表示される態様であるメンテナンス用表示態様と、第２の表示部３２に表示される態様である管理用表示態様の、いずれか一方の態様でメンテナンス情報が表示されることとなる。これにより、遠隔地において、端末装置３が備える第２の表示部３２を用いて管理を行う場合には、管理用表示態様を表示し、振動検出器１や外部装置のメンテナンスを行う場合には、メンテナンス用表示態様を表示して操作を実行することができ、必要に応じて適切なメンテナンス情報の表示を行うことができることとなる。従って、管理及びメンテナンスを実行する場合に、各操作に適した表示を用いて操作を実行することができる。さらに、第２の表示部３２に、メンテナンス用表示態様で表示させることにより、管理用表示態様では表示不可能な、振動検出器１や外部装置に係る詳細データの表示も可能となり、さらに適切なメンテナンスを実行することができる。
そして、判断手段により、所定の異常が発生したと判断された場合に、表示制御手段により、メンテナンス用表示態様が、第２の表示部３２に表示される。これにより、現地の振動検出器１によって検出された変化を、画面が切り替わることによって把握することができるのみならず、端末装置３がモニタリングとしての機能も備えることとなり、所定の異常が発生した場合には、状況を確実に把握できることとなって、これに対し素早く対応することができることとなる。
【００３８】
尚、判断手段を、データ処理装置２が備えることとしたが、端末装置３が備えることとしても良い。また、これらの判断を実行する装置をデータ処理装置２や端末装置３の外部に設けることとしても構わない。
【００３９】
本発明においては、データ処理装置２と端末装置３とが常時接続されていないため、端末装置３の備えるＣＰＵ３４によって回線の通信状態が判断されたが、例えば、常時接続されている場合には、通信状態の判断を行うことなく、データ処理装置２において異常発生と判断されると略同時に端末装置３における表示態様をメンテナンス用表示態様にされることとなって、オンラインリアルタイム処理を実現することが可能となる。
【図面の簡単な説明】
【００４０】
【図１】本発明の地震動計測システムの主要システム構成を示すブロック図である。
【図２】本発明のデータ処理装置が備える第１の表示部におけるメンテナンス用表示態様と、端末装置が備える第２の表示部における管理用表示態様の画像を説明する図である。
【図３】本発明の表示処理及びメンテナンス指示情報入力処理を説明するためのフローチャートである。
【符号の説明】
【００４１】
１      振動検出器
２      データ処理装置
２４    第１の通信部
２５    第１の表示部
２６、３４  ＣＰＵ
２７、３５  ＲＡＭ
２８、３６  ＲＯＭ
３      端末装置
３１    第２の通信部
３２    第２の表示部
３３    入力部
１００  地震動計測システム
【図１】
2005308449.tif 000003
【図２】
2005308449.tif 000004
【図３】
2005308449.tif 000005